(57)【要約】【課題】配線略図データの入力を連動図表の配線略図イメージのまま入力することができると共に、車両接触限界位置を判断することができる配線略図データ入力方式を得る。【解決手段】マウスを用いて画面上に線を描画することによって、連動図表の配線略図に記載される軌道回路シンボル１１と軌道回路データを入力し、この軌道回路シンボル１１の絶縁個所をマウスを用いて指定することによって軌道回路シンボル中に絶縁個所１２を挿入し、さらに、軌道回路シンボル１１ｆの端点と軌道回路シンボル１１ｅの端点以外を接続することにより、接続点に転てつ器シンボル１３を自動的に配置すると共に、転てつ器を含む軌道回路の絶縁位置が車両接触限界を侵すかどうかを判断する必要がある場合は、車両接触限界位置シンボル１４を配置する。【選択図】                図３
2004224092.tif 000002
【特許請求の範囲】
【請求項１】
入力装置を用いて画面上に線を描画することによって、連動図表の配線略図に記載される軌道回路シンボルを設定すると共に上記軌道回路シンボルに対応する軌道回路データを入力する軌道回路シンボル設定手段、及びこの軌道回路シンボル設定手段によって設定された軌道回路シンボルの絶縁個所を上記入力装置を用いて画面上で指定することにより上記軌道回路シンボルを二つに分割すると共に上記二つに分割された軌道回路シンボルに対応する軌道回路データをそれぞれ入力する絶縁個所挿入手段を備え、上記絶縁個所挿入手段により分割された二つの軌道回路データは、互いにポインタによって接続されることを特徴とする配線略図データ入力方式。
【請求項２】
入力装置を用いて、第一の軌道回路シンボルの端点と第二の軌道回路シンボルの端点以外の個所とを接続することによって、連動図表の配線略図に記載される転てつ器シンボルを上記接続個所に自動的に配置すると共に、上記転てつ器シンボルに対応する転てつ器データを入力し、上記上記接続個所で２つに分割された第二の軌道シンボルに対応して、それぞれ上記転てつ器データの定位方向の軌道回路データと上記転てつ器データの定位・反位以外の方向の軌道回路データとを入力し、上記第一の軌道回路シンボルに対応して上記転てつ器データの反位方向の軌道回路データを入力する転てつ器シンボル自動設定手段を備え、上記転てつ器データの定位方向の軌道回路データ、反位方向の軌道回路データ及び定位・反位以外の方向の軌道回路データの３つの軌道回路データと、上記転てつ器データとは、それぞれポインタによって接続されることを特徴とする請求項１項記載の配線略図データ入力方式。
【請求項３】
連動図表の配線略図に記載される車両接触限界位置シンボルを、上記転てつ器シンボルが含まれる軌道回路シンボルの絶縁個所が車両接触限界を侵すかどうかを判断する必要がある場合に、入力装置を用いて画面上に入力する車両接触限界位置シンボル設定手段、及びこの車両接触限界位置シンボル設定手段によって入力された車両接触限界位置シンボルと上記絶縁個所との位置関係により、上記絶縁個所が車両接触限界を侵すかどうかを判断する車両接触限界位置判断手段を備えたことを特徴とする請求項２記載の配線略図データ入力方式。
【発明の詳細な説明】
【０００１】
【発明の属する技術分野】
この発明は、鉄道連動装置で設計される連動図表の配線略図データを入力する配線略図データ入力方式に関するものである。
【０００２】
【従来の技術】
例えば、特許文献１に示されるような従来の鉄道連動装置で設計される連動図表の配線略図データ入力方式では、連動図表の配線略図にある信号機、転てつ器、軌道回路などの機器をブロックで表し、このブロックを線で接続した接続パターンを複数個、予め記憶手段に記憶させておき、この記憶させた任意の接続パターンをＣＲＴ表示画面上に呼び出して表示させ、各パターンで共通の機器のブロックをリンクさせて接続すると共に、この接続されたパターンのブロック内に機器名データを入力することにより、配線略図データの入力を行う。
【０００３】
【特許文献１】
特開平６−１９１４０７号公報（段落番号０００７〜００１３、図１）
【０００４】
【発明が解決しようとする課題】
従来の連動図表の配線略図データ入力方式は、以上のように行われるので、配線略図データを入力する際、線形に合致する接続パターンを検索しなければならないという問題があった。
また、線形に合致する接続パターンがなかった場合、新たに定義する必要があるという問題があった。
また、絶縁位置が固定であるために、車両接触限界位置を判断できないという問題点があった。
【０００５】
この発明は、上述のような課題を解決するためになされたものであり、配線略図データの入力を連動図表の配線略図イメージのまま入力することができると共に、車両接触限界位置を判断できる配線略図データ入力方式を得ることを目的とする。
【０００６】
【課題を解決するための手段】
この発明に係わる配線略図データ入力方式においては、入力装置を用いて画面上に線を描画することによって、連動図表の配線略図に記載される軌道回路シンボルを設定すると共に軌道回路シンボルに対応する軌道回路データを入力する軌道回路シンボル設定手段、及びこの軌道回路シンボル設定手段によって設定された軌道回路シンボルの絶縁個所を入力装置を用いて画面上で指定することにより軌道回路シンボルを二つに分割すると共に二つに分割された軌道回路シンボルに対応する軌道回路データをそれぞれ入力する絶縁個所挿入手段を備え、絶縁個所挿入手段により分割された二つの軌道回路データは、互いにポインタによって接続されるものである。
【０００７】
【発明の実施の形態】
実施の形態１．
以下、この発明の実施の形態１について図を用いて説明する。
図１は、この発明の実施の形態１による配線略図データ入力方式で用いられる連動図表に記載される配線略図の例を示す図である。
図１において、軌道回路１、軌道回路絶縁２、転てつ器３及び車両接触限界位置４が示され、それぞれ複数１ａ〜１ｅ、２ａ〜２ｄ、３ａ、３ｂが示されている。連動図表に記載される連動表（図示せず）には、進路毎に軌道回路１、転てつ器３、信号機１Ｒの連動条件が記載されている。
【０００８】
図２は、この発明の実施の形態１による配線略図データ入力方式の構成を示す図である。
図２において、軌道回路シンボル設定手段５は、線を描画することにより軌道回路シンボルを設定して軌道回路データを入力し、軌道回路データと隣接する軌道回路データを接続する。絶縁個所挿入手段６は、軌道回路シンボル中に絶縁個所を挿入する。転てつ器シンボル自動設定手段７は、軌道回路シンボルを接続して、転てつ器データと隣接する軌道回路データを接続する。当該転てつ器を含む軌道回路の絶縁位置が車両接触限界を侵すかどうかを判断する必要がある場合は、車両接触限界位置シンボル設定手段８により車両接触限界位置シンボルを設定し、車両接触限界位置判断手段９により、車両接触限界を侵すかどうかを判断する。
図３は、この発明の実施の形態１による配線略図データ入力方式による配線略図の入力結果を示す図である。
図３において、軌道回路シンボル１１ａは図１の軌道回路１ａに対応し、軌道回路シンボル１１ｅ（第二の軌道回路シンボル）、軌道回路シンボル１１ｆ（第一の軌道回路シンボル）は、図１の軌道回路１ｂに対応している。軌道回路絶縁個所１２、転てつ器シンボル１３及び車両接触限界位置シンボル１４は、それぞれ図１の軌道回路絶縁２ａ、転てつ器３ａ及び車両接触限界位置４に対応している。
【０００９】
図４は、この発明の実施の形態１による配線略図データ入力方式によって得られた各データ及びその接続関係を示す図である。
図４において、軌道回路シンボル１１ａに対応する軌道回路データ２１、転てつ器シンボル１３に対応する転てつ器データ２３及び車両接触限界位置シンボル１４に対応する車両接触限界位置データ２４が示されている。さらに、転てつ器データ２３の定位方向に接続され、軌道回路１ｂが細分化された軌道回路データ２２１（定位方向の軌道回路データ）と、転てつ器データ２３の反位方向に接続され、軌道回路１ｂが細分化された軌道回路データ２２２（反位方向の軌道回路データ）と、転てつ器データ２３の定位・反位以外の方向に接続され、軌道回路１ｂが細分化された軌道回路データ２２３（定位・反位以外の方向の軌道回路データ）とを有している。この軌道回路データ２２１、２２２、２２３及び転てつ器データ２３は、軌道回路１ｂに対応する軌道回路データ２２を構成する。
【００１０】
次に、配線略図データの入力方式を説明する。
マウス等の入力装置により、軌道回路の始点と終点を指定して線を描画することによって、軌道回路シンボル１１を配置し、軌道回路データ２１を入力する。
次に、入力装置により、軌道回路絶縁個所１２を軌道回路シンボル１１上で指定することによって、絶縁個所を入力する。また、軌道回路絶縁個所１２の入力時に、軌道回路データ２１のポインタと隣接軌道回路データ２２のポインタとを相互に保持することにより、軌道回路データ２１と隣接軌道回路データ２２との接続関係を設定する。また、ここで軌道回路名称も入力する。
【００１１】
軌道回路シンボル１１ｆの端点と軌道回路シンボル１１ｅの端点以外を接続するよう、描画することにより、接続点に転てつ器シンボル１３を自動的に配置し、転てつ器データ２３を入力する。
転てつ器シンボル１３の自動配置時、端点以外の個所に接続された軌道回路シンボル１１ｅを、接続個所で、転てつ器データ２３の定位方向に接続された細分化された軌道回路データ２２１及び、転てつ器データ２３の定位・反位以外の方向に接続された細分化された軌道回路データ２２３の２つに分割することにより、端点が接続された軌道回路シンボル１１ｆに対応する軌道回路データ２２２と合わせて、それぞれ転てつ器データ２３の定位方向、反位方向、定位・反位以外の方向の３つの軌道回路データとし、転てつ器データ２３とポインタとをそれぞれ方向毎に相互に保持することにより、それぞれの接続関係を設定する。また、ここで転てつ器名称、定位反位方向、当該転てつ器を含む軌道回路の絶縁位置が車両接触限界を侵すかどうかの判断有無を入力する。
【００１２】
次に、転てつ器シンボル１３の設定時、当該転てつ器を含む軌道回路の絶縁位置が車両接触限界を侵すかどうかの判断有無が有の場合、車両接触限界位置シンボル１４を適当な位置に自動的に設定し、マウス等の入力装置により、適切な位置に移動することにより、車両接触限界位置シンボル１４を配置し、車両接触限界位置データ２４を入力する。転てつ器データ２３は、車両接触限界位置データ２４のポインタを保持することにより、接続関係を設定する。
【００１３】
次に、車両接触を侵すかどうかを判断する処理内容について示す。
転てつ器シンボル１３と車両接触限界位置シンボル１４との距離が、転てつ器シンボル１３と軌道回路絶縁個所１２との距離より短い場合、限界を侵していることとなる。これを転てつ器シンボル１３の中心位置及びこの転てつ器シンボル１３に対応する転てつ器データ２３が保持している車両接触限界位置データ２４に対応する車両接触限界位置シンボル１４の中心位置間の距離と、転てつ器シンボル１３の中心位置及び軌道回路の絶縁個所間の距離とによって判断する。
まず、転てつ器シンボル１３と車両接触限界位置シンボル１４の中心位置との距離が、転てつ器シンボル１３の中心位置と転てつ器シンボル１３に対応する転てつ器データ２３の定位方向に接続された細分化された軌道回路データ２２１の絶縁個所との距離に比べて、小さい場合は、車両接触限界を侵していると判断する。
同様に、転てつ器データ２３の反位方向に接続された細分化された軌道回路データ２２２の絶縁個所との距離によっても判断する。
これらの配線略図の描画により、配線略図データについて必要なすべての接続関係が入力できると共に、車両接触限界を侵しているかどうかも判断でき、連動システムに関するデータを抽出することが可能である。
【００１４】
実施の形態１によれば、連動図表の配線略図イメージのまま入力するので、連動に関する専門的な知識を必要とせず、簡単に入力することができる。
また、車両接触限界位置が車両接触限界を侵しているかどうかを判断することができる。
【００１５】
【発明の効果】
この発明は、以上説明したように、入力装置を用いて画面上に線を描画することによって、連動図表の配線略図に記載される軌道回路シンボルを設定すると共に軌道回路シンボルに対応する軌道回路データを入力する軌道回路シンボル設定手段、及びこの軌道回路シンボル設定手段によって設定された軌道回路シンボルの絶縁個所を入力装置を用いて画面上で指定することにより軌道回路シンボルを二つに分割すると共に二つに分割された軌道回路シンボルに対応する軌道回路データをそれぞれ入力する絶縁個所挿入手段を備え、絶縁個所挿入手段により分割された二つの軌道回路データは、互いにポインタによって接続されるので、連動図表の配線略図イメージのまま入力でき、連動に関する専門的な知識を必要とせずに簡単に入力することができる。
【図面の簡単な説明】
【図１】この発明の実施の形態１による配線略図データ入力方式で用いられる連動図表に記載される配線略図の例を示す図である。
【図２】この発明の実施の形態１による配線略図データ入力方式の構成を示す図である。
【図３】この発明の実施の形態１による配線略図データ入力方式による配線略図の入力結果を示す図である。
【図４】この発明の実施の形態１による配線略図データ入力方式によって得られた各データ及びその接続関係を示す図である。
【符号の説明】
１  軌道回路、２  軌道回路絶縁、３  転てつ器、４  車両接触限界位置、
５  軌道回路シンボル設定手段、６  絶縁個所挿入手段、
７  転てつ器シンボル自動設定手段、８  車両接触限界位置シンボル設定手段、
９  車両接触限界位置判断手段、１１  軌道回路シンボル、
１２  軌道回路絶縁個所、１３  転てつ器シンボル、
１４  車両接触限界位置シンボル、２１  軌道回路データ、
２２  軌道回路データ、２３  転てつ器データ、
２４  車両接触限界位置データ、
２２１  軌道回路データ、２２２  軌道回路データ、２２３  軌道回路データ。
【図１】
2004224092.tif 000003
【図２】
2004224092.tif 000004
【図３】
2004224092.tif 000005
【図４】
2004224092.tif 000006